(57)【要約】  【課題】  ユーザの好みに合った操作キーのみを表示し、使い勝手を向上させたリモコン装置を提供することである。  【解決手段】  リモコン装置１０は、液晶表示部１２上に設けられたタッチパネル１７を備え、登録されているユーザ名を表示し、選択を促すステップと、メーカー名を表示し、選択を促すステップと、機種名を表示し、選択を促すステップと、モデル名を表示し、選択を促すステップと、前記メーカー名、前記機種名、前記モデル名に対応して予め登録されている操作キーの配置を表示し、レイアウト変更を促すステップと、前記操作キーの削除又は配置移動の入力に応じて、前記操作キーのレイアウトを変更するステップと、レイアウト変更後の登録名の入力を促すステップと、レイアウト変更後の操作キーの配置と前記登録名と前記ユーザ名とを登録するステップとを備えた構成とする。【選択図】      図１
2006324707.tif 000002
【特許請求の範囲】
【請求項１】
操作キーの画像を表示する液晶表示部と、該液晶表示部上に設けられたタッチパネルと
、該タッチパネルからの入力に応じた信号を発信するリモコン送信部と、予め登録された
各情報及びプログラムを格納するＲＯＭと、ユーザにより登録される情報を格納するＲＡ
Ｍと、各部を制御するＣＰＵとを備えたリモコン装置において、
登録されているユーザ名を表示し、選択を促すステップと、
メーカー名を表示し、選択を促すステップと、
機種名を表示し、選択を促すステップと、
モデル名を表示し、選択を促すステップと、
前記メーカー名、前記機種名、前記モデル名に対応して予め登録されている操作キーの
配置を表示し、レイアウト変更を促すステップと、
前記操作キーの削除又は配置移動の入力に応じて、前記操作キーのレイアウトを変更す
るステップと、
レイアウト変更後の登録名の入力を促すステップと、
レイアウト変更後の操作キーの配置と前記登録名と前記ユーザ名とを登録するステップ
とを備えたことを特徴とするリモコン装置。
【請求項２】
操作キーの画像を表示する表示部と、該表示部上に設けられたタッチパネルとを備えた
リモコン装置において、
予め登録されている操作キーの配置を表示し、レイアウト変更を促すステップと、
前記操作キーの削除又は配置移動の入力に応じて、前記操作キーのレイアウトを変更す
るステップと、
レイアウト変更後の操作キーの配置を登録するステップとを備えたことを特徴とするリ
モコン装置。
【請求項３】
ユーザ名の入力を促すステップと、
レイアウト変更後の操作キーの配置に対応させて前記ユーザ名を登録するステップとを
備えたことを特徴とする請求項２記載のリモコン装置。
【請求項４】
メーカー名を表示し、選択を促すステップと、
機種名を表示し、選択を促すステップと、
モデル名を表示し、選択を促すステップとを備え、
前記予め登録されている操作キーの配置を表示する際には、前記メーカー名、前記機種
名、前記モデル名に対応して予め登録されている操作キーの配置を表示することを特徴と
する請求項２又は３記載のリモコン装置。
【請求項５】
レイアウト変更後の登録名の入力を促すステップと、
レイアウト変更後の操作キーの配置に対応させて前記登録名を登録するステップとを備
えたことを特徴とする請求項２〜４の何れかに記載のリモコン装置。
【発明の詳細な説明】
【技術分野】
【０００１】
本発明は、操作キーの画像を表示する表示部と該表示部上に設けられたタッチパネルと
を備えたリモコン装置に関するものである。
【背景技術】
【０００２】
市販の電気機器の多くには遠隔操作用のリモコン装置が付属しており、家庭内に多数の
リモコン装置が存在する状況が生じている。このように、多種多様なリモコン装置が存在
するとその管理が煩雑になるという問題があった。そのため、タッチパネル付きの液晶表
示部をリモコン装置に搭載し、様々な電気機器に応じて操作キーの表示を変えるリモコン
装置が提案されている（特許文献１参照）。
【０００３】
また、タッチパネル付きの液晶表示部を搭載したリモコン装置において、書き換え指示
ボタンの操作によって操作キーのレイアウトが変更されるリモコン装置も提案されている
（特許文献２参照）。
【特許文献１】国際公開第０２／０２１８７７号パンフレット
【特許文献２】特開２００１−２２５０８号公報
【発明の開示】
【発明が解決しようとする課題】
【０００４】
しかしながら、単にタッチパネル付きの液晶表示部を搭載したリモコン装置に置き換え
ただけでは、機能が複雑化した最近の電気機器では操作キーの数が多くなり、兼用キーも
多くなるので操作の煩雑さは変わらない。また、操作キーのレイアウトを変更できるもの
は、そのレイアウトは製造時に登録されたものの中から選択されて表示されるものであり
、ユーザが任意に登録できるものではないので、使い勝手が悪いと感じるユーザもいる。
【０００５】
そこで本発明は、ユーザの好みに合った操作キーのみを表示し、使い勝手を向上させた
リモコン装置を提供することを目的とする。
【課題を解決するための手段】
【０００６】
上記目的を達成するために本発明のリモコン装置は、操作キーの画像を表示する表示部
と、該表示部上に設けられたタッチパネルとを備えたリモコン装置において、予め登録さ
れている操作キーの配置を表示し、レイアウト変更を促すステップと、前記操作キーの削
除又は配置移動の入力に応じて、前記操作キーのレイアウトを変更するステップと、レイ
アウト変更後の操作キーの配置を登録するステップとを備えたことを特徴とする。
【０００７】
この構成によると、ユーザ自身がそれぞれの機器の操作に合った好みのキー配置を登録
できる。
【０００８】
また上記のリモコン装置において、ユーザ名の入力を促すステップと、レイアウト変更
後の操作キーの配置に対応させて前記ユーザ名を登録するステップとを備えたことを特徴
とする。
【０００９】
この構成によると、複数のユーザが１つのリモコン装置にそれぞれのユーザ名で好みの
キー配置を登録できる。
【００１０】
また上記のリモコン装置において、メーカー名を表示し、選択を促すステップと、機種
名を表示し、選択を促すステップと、モデル名を表示し、選択を促すステップとを備え、
前記予め登録されている操作キーの配置を表示する際には、前記メーカー名、前記機種名
、前記モデル名に対応して予め登録されている操作キーの配置を表示することを特徴とす
る。
【００１１】
この構成によると、メーカー、機種、モデルと選択することで、そのモデルで使用可能
な操作キーを読み出すことができ、必要な操作キーが全て表示されるので、レイアウトの
変更が容易になる。
【００１２】
また上記のリモコン装置において、レイアウト変更後の登録名の入力を促すステップと
、レイアウト変更後の操作キーの配置に対応させて前記登録名を登録するステップとを備
えたことを特徴とする。
【００１３】
この構成によると、リモコン装置の使用時に、複数の登録された操作キーの配置の中か
ら所望の配置を簡単に選び出ことができる。
【００１４】
また本発明のリモコン装置は、操作キーの画像を表示する液晶表示部と、該液晶表示部
上に設けられたタッチパネルと、該タッチパネルからの入力に応じた信号を発信するリモ
コン送信部と、予め登録された各情報及びプログラムを格納するＲＯＭと、ユーザにより
登録される情報を格納するＲＡＭと、各部を制御するＣＰＵとを備えたリモコン装置にお
いて、登録されているユーザ名を表示し、選択を促すステップと、メーカー名を表示し、
選択を促すステップと、機種名を表示し、選択を促すステップと、モデル名を表示し、選
択を促すステップと、前記メーカー名、前記機種名、前記モデル名に対応して予め登録さ
れている操作キーの配置を表示し、レイアウト変更を促すステップと、前記操作キーの削
除又は配置移動の入力に応じて、前記操作キーのレイアウトを変更するステップと、レイ
アウト変更後の登録名の入力を促すステップと、レイアウト変更後の操作キーの配置と前
記登録名と前記ユーザ名とを登録するステップとを備えることにより、具体化される。
【発明の効果】
【００１５】
本発明によれば、ユーザ自身がそれぞれの機器の操作に合った好みのキー配置を登録で
きるので、使い勝手を向上させたリモコン装置を提供できる。
【発明を実施するための最良の形態】
【００１６】
図１は、リモコン装置の概略構成を示すブロック図である。リモコン装置１０は中央処
理装置（ＣＰＵ）１１を有し、このＣＰＵ１１が、液晶表示部１２、タッチパネル制御部
１３、リモコン送信部１４、ＲＯＭ１５、ＲＡＭ１６を制御している。タッチパネル制御
部１３は液晶表示部１２上に設けられたタッチパネル１７に繋がっている。
【００１７】
液晶表示部１２は、操作キーやレイアウト変更時の画像を表示する表示部であり、他の
表示方式を用いることもできる。
【００１８】
タッチパネル制御部１３は、液晶表示部１２に表示される操作キーに対応するようにタ
ッチパネル１７を制御し、タッチパネル１７からのユーザによる入力を処理する。
【００１９】
リモコン送信部１４は赤外線通信部等からなり、タッチパネル１７からの入力に応じた
信号を発信する。
【００２０】
ＲＯＭ１５は、メーカー情報１５ａ、機種情報１５ｂ、モデル情報１５ｃ、基本レイア
ウト情報１５ｄ、レイアウト変更プログラム１５ｅなどを格納している。
【００２１】
メーカー情報１５ａは、リモコン装置１０で遠隔操作可能な電気機器を製造しているメ
ーカー名を集めた情報であり、例えば、Ａ社、Ｂ社などが登録されている。機種情報１５
ｂは、メーカー情報１５ａに対応した電気機器の機種を集めた情報であり、例えば、Ａ社
に対応してＴＶ、ＤＶＤ、ＶＣＲなどが登録されている。モデル情報１５ｃは、機種情報
１５ｂに対応したモデルを集めた情報であり、例えば、Ａ社のＴＶに対応してモデルＩ、
モデルIIなどが登録されている。これらメーカー情報１５ａ、機種情報１５ｂ、モデル情
報１５ｃは製造時に登録されている。
【００２２】
基本レイアウト情報１５ｄは、モデル名に対応して予め登録されている操作キーの配置
である。ユーザによりメーカー名、機種名、モデル名が決定されると、まず最初にこの基
本レイアウト情報１５ｄに登録された配置に操作キーが表示される。
【００２３】
レイアウト変更プログラム１５ｅは、基本レイアウト情報１５ｄや既にユーザによって
登録済みのレイアウトに基づいて、操作キーの削除又は配置移動によるレイアウト変更を
可能にするプログラムである。操作キーの削除や配置移動はタッチパネルからの入力に応
じて処理され、例えば、操作キーのドラッグアンドドロップによって配置移動できるよう
にしてもよい。
【００２４】
ＲＡＭ１６は、登録情報１６ａ、ユーザ識別情報１６ｂなどを格納している。登録情報
１６ａは、基本レイアウト情報１５ａの操作キーの配置を用いてユーザが好みで操作キー
の削除又は配置移動によるレイアウト変更を行った後の操作キーの配置を記憶した情報で
ある。ユーザは登録内容のそれぞれに名称を付けることができ、例えば、ＤＶＤ再生用、
ＤＶＤ録画用、ＤＶＤ編集用などの名称が用いられる。
【００２５】
ユーザ識別情報１６ｂは、登録情報１６ａの各情報を誰が登録したものかを識別するた
めの情報であり、登録情報１６ａに対応したユーザ名を記憶した情報である。この情報は
、リモコン１０を使用する複数のユーザが、個々に好みの登録情報１６ａを登録し、自分
が登録した登録情報１６ａを読み出して表示させることを可能にする。
【００２６】
図２は、操作キーのレイアウトを変更する際のリモコン装置の動作を示すフローチャー
トである。リモコン装置１０のメニュー画面で設定キーが押されると、操作キーのレイア
ウト変更・登録モードに入り、ステップＳ１０において、ユーザ識別情報１６ｂが読み出
され、図３に示すように登録されているユーザ名が選択可能に表示される。ここで、ユー
ザ名は予めユーザ登録モードにおいて登録したものが表示される。なお、ステップＳ１０
においてユーザ名を表示する替わりにユーザ名の入力を促してもよい。
【００２７】
ステップＳ１０からステップＳ１１へ進んでユーザ名が選択されたか否かを判断する。
図３の画面で何れかのユーザ名が押されると、ステップＳ１２へ進んでメーカー情報１５
ａが読み出され、図４に示すようにメーカー名が選択可能に表示される。
【００２８】
ステップＳ１２からステップＳ１３へ進んでメーカー名が選択されたか否かを判断する
。図４の画面で何れかのメーカー名が押されると、ステップＳ１４へ進んで、機種情報１
５ｂの中からステップＳ１３で選択されたメーカー名に対応した機種名が読み出され、図
５に示すように機種名が選択可能に表示される。
【００２９】
ステップＳ１４からステップＳ１５へ進んで機種名が選択されたか否かを判断する。図
５の画面で何れかの機種名が押されると、ステップＳ１６へ進んで、モデル情報１５ｃの
中からステップＳ１４で選択された機種名に対応したモデル名が読み出され、図６に示す
ようにモデル名が選択可能に表示される。
【００３０】
ステップＳ１６からステップＳ１７へ進んでモデル名が選択されたか否を判断する。図
６の画面で何れかのモデル名が押されると、ステップＳ１８へ進んで、基本レイアウト情
報１５ｄの中からステップＳ１７で選択されたモデル名に対応した基本レイアウトが読み
出され、図７に示すように基本レイアウトに沿って操作キーが配置される。図７は、Ｆ社
のＤＶＤのモデルＩを選択した場合の画面である。図７及び後述する図８ではレイアウト
用にグリッドを表示している。
【００３１】
この画面のときにユーザは各操作キーをドラッグアンドドロップすることにより配置移
動させレイアウトを変更することができ、また操作キー選択してから削除キーを押すこと
で選択した操作キーを削除することもできる（ステップＳ１９、Ｓ２０）。例えば、ＤＶ
Ｄ再生用の画面を作りたい場合は、再生に不要な操作キーを削除して、残った操作キーを
適当に配置して、図８に示すような画面とすることができる。
【００３２】
このようなレイアウト変更時に操作キーの拡大・縮小ができるようにしてもよい。使用
頻度の高いキーを拡大し、使用頻度の低いキーを縮小することで、使い勝手が向上する。
【００３３】
所望のレイアウトに変更が終了しユーザにより設定キーが押されると（ステップＳ２１
）、ステップＳ２２へ進んで、図９に示すような登録名の入力を促す画面が表示される。
登録名（例えば、「ＤＶＤ再生用」）が入力されると（ステップＳ２３）、ステップＳ２
４へ進んでレイアウト変更後の操作キーの配置が登録情報１６ａに登録され、ユーザ識別
情報１６ｂと関連づけられる。以上のステップを繰り返すことで複数の登録情報１６ａを
登録することができる。なお、図３から図９に示す「戻る」キーを押すと１つ前の画面に
戻る。
【００３４】
一度登録された登録情報１６ａはいつでも呼び出すことができる。呼び出しの手順は、
リモコン装置１０のメニュー画面からユーザ名を選択し、表示された登録名から所望の登
録名を選択することで登録情報１６ａが読み出され、表示される。なお、呼び出した登録
情報１６ａに基づいて操作キーのレイアウトを変更できるようにしてもよい。
【００３５】
このように、ユーザ毎に機器の操作に合った好みのキー配置を登録できるので、使い勝
手を向上させたリモコン装置を提供することができる。
【産業上の利用可能性】
【００３６】
本発明のリモコン装置は、ＴＶ、ＤＶＤ、ＶＣＲ等、遠隔操作可能な電気機器のリモコ
ン装置として広く利用することができる。
【図面の簡単な説明】
【００３７】
【図１】本発明のリモコン装置の概略構成を示すブロック図である。
【図２】本発明の操作キーのレイアウトを変更する際のリモコン装置の動作を示すフローチャートである。
【図３】レイアウト変更時の画面の一例である。
【図４】レイアウト変更時の画面の一例である。
【図５】レイアウト変更時の画面の一例である。
【図６】レイアウト変更時の画面の一例である。
【図７】レイアウト変更時の画面の一例である。
【図８】レイアウト変更時の画面の一例である。
【図９】レイアウト変更時の画面の一例である。
【符号の説明】
【００３８】
１０    リモコン装置
１１    ＣＰＵ
１２    液晶表示部
１３    タッチパネル制御部
１４    リモコン送信部
１５    ＲＯＭ
１６    ＲＡＭ
１７    タッチパネル
【図１】
2006324707.tif 000003
【図２】
2006324707.tif 000004
【図３】
2006324707.tif 000005
【図４】
2006324707.tif 000006
【図５】
2006324707.tif 000007
【図６】
2006324707.tif 000008
【図７】
2006324707.tif 000009
【図８】
2006324707.tif 000010
【図９】
2006324707.tif 000011